(57)【特許請求の範囲】
【請求項１】
オプトエレクトロニクス半導体チップ（１）であって、
・半導体層列（２）と、
・少なくとも１つの第１の変換部材（３１）と、
・少なくとも１つの第２の変換部材（３２）とを備えており、
前記半導体層列（２）は、５００ｎｍよりも短いピーク波長を有する一次ビームを生成する少なくとも１つの活性層（２０）を有しており、
前記第１の変換部材（３１）は、前記一次ビームの波長を変えることによって第１の二次ビームを生成し、
前記第２の変換部材（３２）は、前記一次ビームの波長を変えることによって第２の二次ビームを生成し、
・前記半導体層列（２）は、電気的に相互に独立して駆動制御可能で、かつ、水平方向に隣接して配置されている複数のセグメント（２１、２２）に分けられており、
・前記両変換部材（３１、３２）は、前記複数のセグメント（２１、２２）の放射主要面（２５）上に取り付けられており、
・前記第１の二次ビームは有色光であり、前記第２の二次ビームは白色光であり、
・前記複数のセグメント（２１、２２）間の平均間隔（Ｄ）は、前記両変換部材（３１、３２）間の平均間隔（Ｃ）とは異なっており、
・少なくとも、前記両変換部材（３１、３２）の間に、光学的なシーリング（４）が設けられており、当該光学的なシーリング（４）は、前記一次ビーム並びに前記第１の二次ビームおよび前記第２の二次ビームを通さず、
・前記シーリング（４）は、前記半導体層列（２）から離れる方向で、少なくとも、前記変換部材（３１、３２）の、前記半導体層列（２）の側とは反対にある面まで達する、
ことを特徴とするオプトエレクトロニクス半導体チップ（１）。
【請求項２】
前記半導体層列（２）を平面で見た場合の、前記第１の変換部材（３１）と前記第２の変換部材（３２）との面積比は０．２５以上４以下の間であり、
ここで前記第１の二次ビームは黄色および／またはオレンジ色の光である、請求項１記載のオプトエレクトロニクス半導体チップ（１）。
【請求項３】
前記複数のセグメント（２１、２２）間の平均間隔（Ｄ）は、割り当てられている前記両変換部材（３１、３２）間の平均間隔（Ｃ）よりも小さい、請求項２記載のオプトエレクトロニクス半導体チップ（１）。
【請求項４】
前記両変換部材（３１、３２）は相互に接触しておらず、隣接する両変換部材（３１、３２）間の平均間隔（Ｃ）は最大で１５０μｍである、請求項１から３までのいずれか１項記載のオプトエレクトロニクス半導体チップ（１）。
【請求項５】
前記複数のセグメント（２１、２２）間の平均間隔（Ｄ）は、前記両変換部材（３１、３２）間の平均間隔（Ｃ）よりも小さい、請求項４記載のオプトエレクトロニクス半導体チップ（１）。
【請求項６】
前記シーリング（４）は、前記担体（６）の側とは反対側の面で、凹状に形成されている、請求項１から５までのいずれか１項記載のオプトエレクトロニクス半導体チップ（１）。
【請求項７】
前記シーリング（４）は、前記担体（６）の側とは反対側の面で、凸状に形成されている、請求項１から５までのいずれか１項記載のオプトエレクトロニクス半導体チップ（１）。
【請求項８】
平面図で見て、前記複数のセグメント（２１、２２）は、異なる面積を有する長方形または三角形である、請求項１から７までのいずれか１項記載のオプトエレクトロニクス半導体チップ（１）。
【請求項９】
複数の第１の変換部材（３１）を含んでおり、前記複数のセグメント（２１）の各々に、当該複数の第１の変換部材（３１）のうちの１つが後続配置されており、
平面図で見て、当該複数のセグメント（２１）は同じ形状を有している、請求項１から８までのいずれか１項記載のオプトエレクトロニクス半導体チップ（１）。
【請求項１０】
平面図で見て、前記複数の第１の変換部材（３１）は、前記少なくとも１つの第２の変換部材（３２）を囲むように配置されている、請求項１から９までのいずれか１項記載のオプトエレクトロニクス半導体チップ（１）。
【請求項１１】
請求項１から１０までのいずれか１項記載の少なくとも１つのオプトエレクトロニクス半導体チップ（１）と少なくとも１つの光学系（５）とを備えたヘッドライト（１０）であって、
前記半導体チップ（１）には、前記少なくとも１つの光学系（５）が後続配置されている、
ことを特徴とするヘッドライト（１０）。
【請求項１２】
前記光学系（５）は導光体を含んでいる、または、導光体であり、
前記全てのセグメント（２１、２２）は共同で、後続配置された１つの前記導光体を有している、請求項１１記載のヘッドライト（１０）。
【請求項１３】
前記半導体チップ（１）は、ウィンカー用の光源でも、昼間点灯用の光源でもある、
自動車用の、請求項１１または１２記載のヘッドライト（１０）。
【発明の詳細な説明】
【技術分野】
【０００１】
オプトエレクトロニクス半導体チップを提示する。さらに、このようなオプトエレクトロニクス半導体チップを備えたヘッドライトを提示する。
【０００２】
解決されるべき課題は、平面図で見て、隣り合って、複数の色印象が実現可能であるオプトエレクトロニクス半導体チップを提示することである。
【０００３】
上述の課題は、殊に、独立請求項の特徴部分に記載された構成を有するオプトエレクトロニクス半導体チップと、ヘッドライトによって解決される。有利な発展形態は、従属請求項に記載されている。
【０００４】
少なくとも１つの実施形態では、オプトエレクトロニクス半導体チップは、半導体層列を有している。この半導体層列は、一次ビームを生成するための活性層を有している。一次ビームは、有利には、紫外光または青色光である。殊に、一次ビームのピーク波長は、５００ｎｍを下回る波長にある。ピーク波長（英語で、peak wavelength）は、最大のスペクトルエネルギー密度が活性層によって生成される波長のことである。
【０００５】
少なくとも１つの実施形態では、半導体チップは、１つまたは複数の第１の変換部材を含んでいる。この少なくとも１つの第１の変換部材は、第１の二次ビームを生成するために設けられている。この第１の変換部材は、このために、第１の変換部材に達した一次ビームの一部または一次ビーム全体を、第１の二次ビームに変換する。この第１の二次ビームは、有利には、一次ビームよりも長い波長を有している。一次ビームが第１の変換部材を通過できない、または、有意の範囲を通過できないことが、可能である。
【０００６】
少なくとも１つの実施形態では、半導体チップは、１つまたは複数の第２の変換部材を含んでいる。この少なくとも１つの第２の変換部材は、第２の変換部材に達している一次ビームを部分的にまたは完全に波長変換することによって、第２の二次ビームを生成するように構成されている。殊に、一次ビームの一部分は、第２の変換部材を通過することができる。従って、この第２の二次ビームは、一次ビームの成分を有しており、混合ビームである。第２の二次ビームは、特に有利には、白色光である。用語「白色光」は次のことを意味し得る。すなわち、ＣＩＥ色度図における第２の二次ビームの色位置が、最大で０.１単位または最大で０.０５単位ぶんだけ、黒体輻射曲線から偏差していることを意味し得る。
【０００７】
少なくとも１つの実施形態では、半導体層列は、少なくとも２つ、または２つよりも多くの、電気的に相互に独立して駆動制御可能なセグメントに分けられている。これらのセグメントは、半導体チップの放射主要面を平面図で見て、水平方向に隣り合って配置されている。半導体層列は、隣接するセグメントの間で、完全にまたは部分的にのみ、除去可能である。すなわち、個々のセグメントを半導体層列からアイランド状に作り上げること、または、これらのセグメント全てを半導体層列の部分領域によって相互に接続することが可能である。
【０００８】
すなわち、全てのセグメントは、同じ、エピタキシャル成長された半導体層列から形成されている。半導体層列は、製造トレランスの範囲内で同一に、変更されていない層構造および組成で、全てのセグメントにわたって延在している。半導体層列の面における、完成したセグメント相互の空間的な位置は、まだセグメント化されておらず、かつ、まだ構造化されていない半導体層列と比べて、有利には、変化していない。
【０００９】
半導体チップの少なくとも１つの実施形態では、変換部材はそれぞれ、セグメントの放射主要面上に取り付けられている。有利には、この場合には各セグメントに１つの変換部材が一義的に割り当てられている。さらに、変換部材は、有利には、次のようにセグメント上に取り付けられている。すなわち、これらの変換部材が、放射主要面の平面図において、重畳していないように取り付けられている。
【００１０】
少なくとも１つの実施形態では、変換部材は、セグメントの放射主要面に間接的または直接的にコンタクトしている。すなわち変換部材は、半導体層列に接触している。殊に、間接的なコンタクトの場合には、セグメントの半導体材料と変換部材との間に、最大で１つの接続手段が存在している。これによって、変換部材はセグメントに固定される。接続手段とは、例えば、シリコーンを含有する接着剤のことである。
【００１１】
少なくとも１つの実施形態では、第１の二次ビームは有色光であり、殊に、黄色および／またはオレンジ色の光である。例えば、第１の二次ビームの色位置は、最大で０.０７単位または最大で０.０５単位のトレランスで、ＣＩＥ色度図のスペクトル色線上に位置している。第１の二次ビームの色位置は殊に、５７５ｎｍ以上５９５ｎｍ以下である。
【００１２】
少なくとも１つの実施形態では、オプトエレクトロニクス半導体チップは、半導体層列を含んでいる。これは、５００ｎｍを下回るピーク波長を備えた一次ビームを生成するための少なくとも１つの活性層を含んでいる。半導体チップはさらに、第１の二次ビームを生成する少なくとも１つの第１の変換部材と、第２の二次ビームを生成する第２の変換部材とを含んでいる。ここでこの二次ビームは、一次ビームの波長を部分的または完全に変換することによって生成される。半導体層列は電気的に相互に独立して駆動制御可能であり、水平方向に隣接して配置されているセグメントに分けられている。変換部材は、セグメントの放射主要面上に取り付けられており、半導体層列と直接的にコンタクト可能である。第１の二次ビームは、有色の、殊に黄色の光であり、第２の二次ビームは白色光である。
【００１３】
半導体層列がセグメント化されていることによって、第１の二次ビームまたは第２の二次ビームが放射される領域間の間隔は極めて僅かになる。さらに、セグメント化によって、比較的シャープな、有色の画定が、二次ビームを放射する領域の間で可能になる。
【００１４】
少なくとも１つの実施形態では、第１の変換部材と第２の変換部材との面積比は、半導体層列の平面図で見て、少なくとも０．２５または少なくとも０．５または少なくとも０．７５または少なくとも１である。択一的または付加的に、面積比は、最大で４または最大で３または最大で２．５である。殊に、第１の変換部材と第２の変換部材の面積比は、少なくとも１．２５および／または最大で２．２５である。従って、少なくとも１つの第１の変換部材は、少なくとも１つの第２の変換部材よりも、大きい面積を占める。
【００１５】
少なくとも１つの実施形態では、第１の変換部材と第２の変換部材との面積比は、次のように調整されている。すなわち、第１の二次ビームの光束と第２の二次ビームの光束の商が、少なくとも０．２５または少なくとも０．５または少なくとも０．７５であるように調整されている。この商は、択一的または付加的に最大で４または最大で２または最大で１．２５である。換言すれば、２つの二次ビームは人間の眼にはほぼ同じ明るさに見える。光束はルーメンで示される。
【００１６】
少なくとも１つの実施形態では、第１の変換部材と第２の変換部材は相互に接触していない。すなわち、第１の変換部材と第２の変換部材とは間隔が空けられている。第１の変換部材が複数個存在する場合には、これらの第１の変換部材が相互に接触していないことが可能である。これに相応することが、第２の変換部材にも当てはまる。換言すれば、変換部材対は、相互に間隔が空けられている。
【００１７】
少なくとも１つの実施形態では、隣接する変換部材間の平均間隔は、最大で１５０μｍまたは最大で１１０μｍまたは最大で７５μｍまたは最大で４０μｍである。平均間隔は択一的または付加的に、半導体チップおよび／または半導体層列の平均エッジ長さの、最大で１５％または最大で１０％または最大で５％である。
【００１８】
少なくとも１つの実施形態では、セグメント間の平均間隔は、属する各変換部材間の平均間隔とは異なる。殊に、セグメント間の平均間隔は、属する変換部材間の平均間隔よりも短い。例えば、セグメント間の平均間隔と各属する変換部材間の平均間隔とは、少なくとも５％または１０％または２５％または５０％異なる。
【００１９】
少なくとも１つの実施形態では、少なくとも２つの変換部材の間に、光学的なシーリングが存在する。この光学的なシーリングは、有利には、一次ビーム並びに第１および第２の二次ビームを通さない。「ビームを通さない」とは、次のことを意味し得る。すなわち、一次ビーム並びに二次ビームに対する透過度が最大で２０％または最大で１０％または最大で３％または最大で１％であることを意味し得る。少なくとも１つのシールドは、有利には第１の変換部材を光学的に第２の変換部材から隔てる。例えば、第１の変換部材が複数個存在する場合には、光学的なシーリングは、それぞれ隣接する第１の変換部材の間にも配置可能であり、相応のことが、第２の変換部材が複数個ある場合にも当てはまる。
【００２０】
少なくとも１つの実施形態では、光学的なシールドは少なくとも、半導体層列から見て、半導体層列の側とは反対の、変換部材の面まで達する。換言すれば、隣接する変換部材の間に、直接的な、光学的なシールドによって中断されない視線が存在することが可能である。殊に、少なくとも１つの光学的なシールドが、半導体層列から離れる方向で、変換部材から突出することが可能である。
【００２１】
少なくとも１つの実施形態では、セグメントは、平面図で見て、長方形または正方形の基本形を有する。同様に、セグメントが三角形の基本形、ひし形の基本形、台形の基本形または六角形の基本形を有することが可能である。殊に、セグメントを正六角形としてまたは正三角形としてまたは直角三角形として形成することが可能である。属する変換部材は、それぞれ、セグメントと同じ基本形を有することができる。
【００２２】
少なくとも１つの実施形態では、複数のセグメントは、平面図で見て、異なる面積を有している。これは、変換部材に対しても当てはまる。この場合には、殊に１つのセグメントが１つの第１の変換部材に対して設けられ、１つのセグメントが１つの第２の変換部材に対して設けられている。
【００２３】
少なくとも１つの実施形態では、半導体チップは複数の第１の変換部材を含んでいる。有利にはこの場合には、複数のセグメントにそれぞれ１つの第１の変換部材が後続配置されている。それぞれ１つの第１の変換部材が後続配置されているこれらのセグメントを、平面図で見て、これらの第１の変換部材と同じ形状にすることが可能である。これと相応のことが、第２の変換部材に対しても当てはまる。殊に、第１の変換部材も、第２の変換部材も、属するセグメントも、それぞれ同じ形状を有することが可能である。
【００２４】
少なくとも１つの実施形態では、放射主要面の平面図で見て、複数の第１の変換部材が、少なくとも１つの第２の変換部材を包囲するように配置されている。ここで、これらの第１の変換部材は第２の変換部材を、フレーム状にまたはぐるりと囲むことができる。必ずしも、これらの第１の変換部材が、１つまたは複数の第２の変換部材を囲んで閉鎖する線を形成する必要はない。同様に、複数の第２の変換部材を、１つまたは複数の第１の変換部材を囲むように配置することができる。
【００２５】
少なくとも１つの実施形態では、複数のセグメントに、１つの変換部材が割り当てられている。同様に、複数の変換部材を１つのセグメントに割り当てることができる。
【００２６】
さらに、ヘッドライトを提示する。このヘッドライトは、１つまたは複数の上述した実施形態と関連して挙げたような、少なくとも１つのオプトエレクトロニクス半導体チップを含んでいる。従ってこのヘッドライトの特徴は半導体チップに対しても開示されており、半導体チップの特徴はヘッドライトに対しても開示されている。
【００２７】
少なくとも１つの実施形態では、ヘッドライトは少なくとも１つの光学系を含んでいる。この光学系は、少なくとも１つのオプトエレクトロニクス半導体チップに後続配置されている。「後続配置されている」とは次のことを意味し得る。すなわち、半導体チップによって生成されたビームが、少なくとも７０％または少なくとも８５％または少なくとも９５％、この光学系におよび／またはこの光学系内に達することを意味し得る。換言すれば、半導体チップによって生成されたビームは完全にまたは実質的に完全に、光学系に達するまたは光学系内に達する。
【００２８】
ヘッドライトの少なくとも１つの実施形態では、この光学系は１つまたは複数の導光体を含む、または、この光学系は導光体である。少なくとも１つのこのような導光体を介して、半導体チップによって生成されたビームを、ヘッドライトの光出射面へと導くことができる。
【００２９】
少なくとも１つの実施形態では、この導光体は、半導体チップの全てのセグメントに共通して後続配置されている。すなわちこの場合には、導光体は、第１の変換部材も第２の変換部材も覆っており、第１の二次ビームも第２の二次ビームも収容して、導くように構成されている。これは殊にセグメントと変換部材との間の間隔が短いことによって実現される。これによって、第１の二次ビームと第２の二次ビームを、ヘッドライトの同じ光出射面で取り出し可能であるようにすることができる。これに対して択一的に、複数の導光体を１つの半導体チップに割り当てることができる。この場合には、少なくとも１つの導光体が、複数のセグメントにわたって延在可能である。
【００３０】
少なくとも１つの実施形態では、ヘッドライトは、複数の半導体チップおよび／または複数の導光体を含んでいる。この場合、各半導体チップには、有利には、１つの導光体が割り当てられている。
【００３１】
少なくとも１つの実施形態では、ヘッドライトは、自動車、例えば乗用車用に設けられている。少なくとも１つの半導体チップは、この場合に、ウィンカー用の光源としても、昼間点灯用の光源としても構成されている。第１の二次ビームおよび第２の二次ビームはこの場合に、この目的のために、上述した色位置と強度を有している。択一的または付加的に、これはいわゆるＰｏ光（英語でｐｏ  ｌｉｇｈｔ）のことであり、例えば、警察等の緊急車両用の光である。ヘッドライトが付加的に発光ダイオードチップを含んでいることが可能である。これらの発光ダイオードチップは光学系外に位置している、または、これらの発光ダイオードチップに光学系は後続配置されていない。このような付加的な発光ダイオードチップを介して、光学系の影響が補償される。
【００３２】
用語「ヘッドライト」はこの場合には、必ずしも、次のことを排除しない。すなわち、ヘッドライトが昼間点灯およびウィンカーおよび／またはブレーキランプのみを含み、夜間走行用に設けられている光源が別個の構成部分によって実現されていることを排除しない。
【００３３】
以降では、本願に記載したオプトエレクトロニクス半導体チップ並びに本願に記載したヘッドライトを、図面を参照して、実施例に基づいて、より詳細に説明する。ここで同じ参照番号は、個々の図における同じ部材を示す。しかしここでは、縮尺通りの関係は示されておらず、むしろ、個々の部材は、より良い理解のために、過度に大きく示され得る。
【図面の簡単な説明】
【００３４】
【図１】本願に記載されているオプトエレクトロニクス半導体チップの実施例の概略図
【図２】本願に記載されているオプトエレクトロニクス半導体チップの実施例の概略図
【図３】本願に記載されているオプトエレクトロニクス半導体チップの実施例の概略図
【図４】本願に記載されているオプトエレクトロニクス半導体チップの実施例の概略図
【図５】本願に記載されているオプトエレクトロニクス半導体チップの実施例の概略図
【図６】本願に記載されているオプトエレクトロニクス半導体チップの実施例の概略図
【図７】本願に記載されているオプトエレクトロニクス半導体チップの実施例の概略図
【図８】本願に記載されているオプトエレクトロニクス半導体チップの実施例の概略図
【図９】本願に記載されているオプトエレクトロニクス半導体チップの実施例の概略図
【図１０】本願に記載されているヘッドライトの実施例の概略的な断面図
【図１１】第１の二次ビームのための、ＣＩＥ色度図の一部
【実施例】
【００３５】
図１には、概略的な平面図で、オプトエレクトロニクス半導体チップ１の実施例が示されている。半導体チップ１は、半導体層列２を含んでいる。この半導体層列は、２つのセグメント２１、２２に分けられている。これらのセグメント２１、２２は水平方向に隣接して配置されており、かつ、電気的に相互に独立して駆動制御可能である。電気的な駆動制御のために、半導体チップ１は、４つの電気的なコンタクト箇所７を有している。これらのコンタクト箇所７は、半導体チップ１の縁に沿って配置されている。コンタクト箇所７は、例えばはんだ付け用コンタクト、ボンディングパッド、またはプラグコンタクトであり得る。
【００３６】
図示されているのとは異なり、コンタクト箇所７が、半導体層列２の側とは反対側の、担体６の背面に位置してもよい。コンタクト箇所７には、ボンディングワイヤーが取り付け可能である。
【００３７】
セグメント２１、２２上に、第１の変換部材３１と第２の変換部材３２とが取り付けられている。第１の変換部材３１は、ハッチングによって示されている。これは全ての他の図面においても同じである。変換部材３１、３２は一義的にセグメント２１、２２に割り当てられている。変換部材３１、３２も、水平方向で相互に間隔を空けて配置されている。
【００３８】
半導体チップ１の動作時には、半導体層列２内で、有利には青色の光が生成される。この青色の光は、一次ビームである。この一次ビームから、第１の変換部材３１によって、第１の二次ビームが生成される。これは、有色光であり、有利には黄色の光である。第２の変換部材３２を介して、一次ビームの一部から、第２の二次ビームが生成される。第２の二次ビームは、殊に、一次ビームの残りと混じり、白色光になる。変換部材３１、３２の面積比は、平面図で見て、例えば約２：１である。
【００３９】
半導体チップ１のエッジ長さＬは、例えば、４００μｍ以上２５００μｍ以下であり、殊に１０００μｍである。図１で、半導体チップ１は２つの変換部材３１、３２を有している。図面とは異なり、２つよりも多くの変換部材３１、３２が設けられていてもよい。これは、図２〜７および１０に対して同様に当てはまる。全ての他の実施例のように、有利には各セグメント２１、２２には１つの変換部材３１、３２が後続配置されている。変換部材３１、３２の材料組成は、有利には、水平方向において変化しない。
【００４０】
選択的に、変換部材３１と変換部材３２との間に、光学的なシーリング４が存在する。この光学的なシーリング４によって、第１の二次ビームが第２の変換部材３２に達することがなく、第２の二次ビームが第１の変換部材３１に達することがない。すなわち光学的なシーリング４は、第１の二次ビーム、第２の二次ビーム並びに一次ビームを通さない。
【００４１】
例えば、光学的なシーリング４は、内部に粒子が埋設されたマトリクス材料を注封することによって形成されている。マトリクス材料とは、シリコーンまたはシリコーンとエポキシドのハイブリッド材料であり得る。シーリング４内の粒子は、例えば反射性の粒子、例えば二酸化チタンから、または、吸収性の粒子、例えばカーボン・ブラックから成る。さらに選択的に、全ての他の実施例においても同様に、半導体層列２と反対の、シーリング４の側に、反射性または吸収性の、ここには図示されていない層を被着することが可能である。このような有利には反射性の層は、択一的または付加的に、セグメント２１、２２および／または変換部材３１、３２の側面にも被着可能である。
【００４２】
図２には、半導体チップ１の概略的な断面図が示されている。セグメント２１、２２に分けられている半導体層列２は、担体６の担体上面６０に取り付けられている。担体６は有利には、半導体層列２の成長基板とは異なる。しかし担体６が、サファイヤ等の成長基板であっても、ＳｉＣであってもよい。半導体層列２は、少なくとも１つの活性層２０を含む。これは破線で示されている。セグメント２１、２２に分けるために、半導体層列２は、担体上面６０に対して垂直な方向において、完全に分断されている。セグメント２１、２２相互の相対的な位置は、半導体層列２に対する成長基板での相対的な位置と比べて、変化していない。
【００４３】
変換部材３１、３２は、直接的に、半導体層列２に取り付けられている。これは例えばプリント手法を介して行われる。これに対して択一的に、変換部材３１、３２を別個に製造し、セラミック製の小さいプレートとして、または、小さいシリコーンプレートとして形成することが可能である。ここでこれらの小プレート内には、１つまたは複数の変換手段が埋設されている。この場合には、変換部材３１、３２と半導体層列２との間に、接続手段、殊にシリコーンベースの接着剤が存在している。この接続手段は、図示されていない。
【００４４】
変換部材３１、３２は、製造トレランスの範囲内で、セグメント２１、２２と同一である。担体上面６０に対して平行な方向での、隣接する変換部材３１、３２の間の間隔Ｃは、セグメント２１、２２の間の間隔Ｄに相当する。
【００４５】
光学的なシーリング４は、担体６の側とは反対の、変換部材３１、３２の側まで達し、セグメント２１、２２の間並びに変換部材３１、３２の間のギャップを実質的に完全に満たす。担体６の側とは反対の面で、シーリング４は例えば凹状に形成されている。
【００４６】
図３に示されている半導体チップ１の断面図では、半導体層列２は、担体６に対して垂直な方向において、完全には分断されていない。個々のセグメント２１、２２はモノリシックに、半導体層列２の材料によって相互に接続されている。少なくとも１つの活性層２０は、セグメント２１、２２を完全に通して延在していない。図を簡単にするために、全ての他の実施例においても同様に、個々のセグメントに電気を流すための電気的な線路と電気的な接続装置は図示されていない。
【００４７】
図３では、セグメント２１、２２は、属する変換部材３１、３２よりも、大きい底面を有している。セグメント２１、２２の間の間隔Ｄは、変換部材３１、３２の間の間隔Ｃよりも小さい。光学的なシーリング４は、担体６から遠ざかる方向において、変換部材３１、３２から突出している。
【００４８】
図３とは異なり、セグメント２１、２２の間の間隔Ｄが、変換部材３１、３２の間の間隔Ｃより大きくてもよい。変換部材３１、３２は、この場合には、セグメント２１、２２から、水平方向に突出する。
【００４９】
さらに、図３とは異なり、シーリング４が変換部材３１、３２の間にのみ、または、実質的に変換部材３１、３２の間にのみ存在することが可能である。この場合にはセグメント２１、２２の間の領域は真空にされている、または、ガスで充填されている、または他の、図示されていない充填物が設けられている。この充填物は、シーリング４とは異なる材料から形成可能である。このような充填物は、セグメント２１、２２の間の領域を、部分的にだけでも満たすことができる。これは、変換部材３１、３２および／またはセグメント２１、２２の間のシーリング４の場合にも当てはまる。この場合に、このシーリング４および／または充填物は、例えば、セグメント２１、２２および／または変換部材３１、３２の側面に被着されているコーティングであり、隣接する充填物および／またはシーリング４の間に間隙が存在する。
【００５０】
全ての他の実施例においても、担体６の側とは反対の、変換部材３１、３２および／または光学的なシーリングの側に、図示されていない保護層または図示されていない注封部が存在することが可能である。
【００５１】
図４〜９には、オプトエレクトロニクス半導体チップ１の別の実施例が概略的な平面図で示されている。図４および５では、半導体チップ１は、それぞれ、３つのコンタクト箇所７を有している。これらのコンタクト箇所７のうちの１つは、セグメント２１、２２に対する共通の電極として形成されている。これと相応のことが、全ての他の実施例においても当てはまる。
【００５２】
変換部材３１と変換部材３２の面積比は、図４では約２：１であり、図５では約１：２である。変換部材３１、３２並びにセグメント２１、２２は平面図で見て、それぞれ、異なる面積を有する長方形として形成されている。変換部材３１、３２の長手方向は、コンタクト箇所７の長手方向に対して垂直に配向されている。これとは異なり、変換部材３１、３２の長手方向とコンタクト箇所７の長手方向は、図６においては、相互に平行に延在している。
【００５３】
図７では、変換部材３１、３２は、平面図で見て、異なる面積を有する直角三角形として形成されている。光学的なシーリング４は、図４〜６とは異なり、半導体チップ１の対角線上に延在する。図４〜６では、光学的なシーリング４は、半導体チップ１の縁に対して平行に配向されている。
【００５４】
図８に示された実施例では、中央の、第２の変換部材３２が、セグメント２２上に取り付けられている。光学的に存在するシーリング４は、この第２の変換部材３２をフレーム状に包囲する。第２の変換部材３２の周りには、半導体チップ１の縁に沿って取り付けられている、４つの、縦長に延在している第１の変換部材３１が取り付けられている。これらは、第２の変換部材３２を実質的にぐるりと包囲している。コンタクト箇所７が、半導体チップ１の４つのコーナーに取り付けられている。図とは異なり、コンタクト箇所７が３つのコーナーにのみ位置することが可能である。
【００５５】
図９では、セグメント２１、２２はそれぞれ、正六角形として、同様に成形されている。２つのセグメント２１上には、第１の変換部材３１が取り付けられている。セグメント２２の１つには、第２の変換部材３２が設けられている。
【００５６】
第１の変換部材３１を有する２つのセグメント２１は、有利には電気的に並列接続されている。しかし、相互に依存せずに、個別に駆動制御可能であり得る。変換部材３１、３２が接触することが可能である。２つの変換部材３１が、示されているのとは異なり、ワンピースに形成されていてもよい。図とは異なり、図９の実施例では、光学的なシーリング４を設けることが可能である。
【００５７】
図１０には、ヘッドライト１０の実施例が、概略的な断面図で示されている。ヘッドライト１０は、殊に、図１〜９と関連して示したようなオプトエレクトロニクス半導体チップ１を有している。半導体チップ１には、導光体の形態の光学系５が後続配置されている。この光学系５は、全てのセグメント２１、２２、ひいては全ての変換部材３１、３２にわたって延在している。光学系５は、第１の二次ビームも第２の二次ビームも受け入れ、導くように構成されている。場合によって存在する、さらなる光学的なコンポーネントは、図を分かりやすくするために、図１０に示されていない。
【００５８】
図１１Ｂには、ＣＩＥ色度図（１１Ａを参照）の一部が示されている。第１の二次ビームの色位置は有利には囲まれている領域内に位置する。すなわち、座標（０．５４５；０．４２５）、（０．５９７；０．３９０）、（０．６１０；０．３９０）および（０．５６０；０．４４０）を有する４つの色位置によって形成されている四角形内に位置する。
【００５９】
本願に記載された発明は、実施例に基づく説明によって制限されるものではない。むしろ、本発明は新たな特徴並びに、殊に、特許請求の範囲における特徴の組み合わせを含んでいる特徴の組み合わせを含む。これは、この特徴またはこの組み合わせ自体が、特許請求の範囲または実施例内に明示されていない場合にも当てはまる。
【００６０】
本特許出願は、ドイツ連邦共和国特許出願第１０２０１２１０２３０１．８号の優先権を主張し、この文献の開示内容は、本願に参照として組み込まれている。
【図１】
0005940209.tif 000002
【図２】
0005940209.tif 000003
【図３】
0005940209.tif 000004
【図４】
0005940209.tif 000005
【図５】
0005940209.tif 000006
【図６】
0005940209.tif 000007
【図７】
0005940209.tif 000008
【図８】
0005940209.tif 000009
【図９】
0005940209.tif 000010
【図１０】
0005940209.tif 000011
【図１１Ａ】
0005940209.tif 000012
【図１１Ｂ】
0005940209.tif 000013